(57)【特許請求の範囲】
【請求項１】
物品を収納する収納什器であって、
支持部材と、
上下に複数配設されて、引き出し方向にスライド移動可能に前記支持部材に支持されるとともに、下面において前記引き出し方向に間隔をあけて突設されて前記下面を補強する補強部材を有する引き出し部と、
前記引き出し部を前記引き出し方向の所定の位置に停止可能とするストッパ機構とを備え、
前記ストッパ機構は、前記補強部材と、前記支持部材に設けられ、対応する前記引き出し部をスライドさせた際に前記引き出し方向の手前側から前記補強部材を係止する係止部とにより少なくとも構成されており、
前記ストッパ機構は、前記引き出し方向の最も奥側に設けられた前記補強部材よりもさらに奥側で前記引き出し部の下面から突設され、前記係止部に前記手前側から係止されて前記引き出し部が前記手前側へ前記支持部材から逸脱することを防止する逸脱防止部をさらに有することを特徴とする収納什器。
【請求項２】
前記逸脱防止部は、前記係止部によって係止可能な係止位置と、前記係止部が通過可能な解除位置との間で進退可能なネジを有することを特徴とする請求項１に記載の収納什器。
【請求項３】
前記逸脱防止部は、前記係止部によって係止可能な係止位置と、前記係止部が通過可能な解除位置との間で進退可能な一対のピン部材と、
前記ピン部材の各々に取り付けられ、該ピン部材に対して解除位置から係止位置に向けて付勢力を与える付勢部材とを有することを特徴とする請求項１に記載の収納什器。
【請求項４】
前記逸脱防止部は、着脱可能なクリップ部材を有し、
前記クリップ部材を取り付けた状態で該クリップ部材を前記係止部によって係止可能であることを特徴とする請求項１に記載の収納什器。
【請求項５】
物品を収納する収納什器であって、
支持部材と、
上下に複数配設されて、引き出し方向にスライド移動可能に前記支持部材に支持されるとともに、下面において前記引き出し方向に間隔をあけて突設されて前記下面を補強する補強部材を有する引き出し部と、
前記引き出し部を前記引き出し方向の所定の位置に停止可能とするストッパ機構とを備え、
前記ストッパ機構は、前記補強部材と、前記支持部材に設けられ、対応する前記引き出し部をスライドさせた際に前記引き出し方向の手前側から前記補強部材を係止する係止部とにより少なくとも構成されており、
前記補強部材は、前記引き出し方向の奥側を向く面が、上方から下方に向かうに従って前記引き出し方向の前記奥側から前記手前側に向かって傾斜していることを特徴とする収納什器。
【請求項６】
複数の前記引き出し部の上方で、前記支持部材に設けられた天板をさらに備えたカウンタ引き出し装置であることを特徴とする請求項１から５のいずれか一項に記載の収納什器。
【発明の詳細な説明】
【技術分野】
【０００１】
本発明は、引き出し部を有する収納什器に関するものである。
【背景技術】
【０００２】
収納什器は、例えば、スーパーマーケット、ドラッグストア、コンビニエンスストアなどの小売店のカウンタに設置され、様々な物品を収納したり、作業現場での工具の収納に用いられる複数段の引き出しを有する収納棚である。
【０００３】
このような収納什器においては、収納された物の出し入れを頻繁に行なうことが多く、また収納されている物品が何であるのか、容易に判別することが難しかったため、使用上の不都合が生じることが多かった。
【０００４】
ここで、特許文献１には、網棚本体を下方から支持するアームに複数の係合溝を前後方向に沿って設け、これらの係合溝のうちの任意の１つに網棚本体に突設された前出しストッパを係合させることで、網棚本体の前出し位置を任意に選択可能な商品陳列用網棚が開示されている。そして、この商品陳列用網棚においては、上下多段の網棚本体を一つずつ前後方向にずらすことで、これら複数の網棚本体を雛壇状に配置することが可能となっている。
【先行技術文献】
【特許文献】
【０００５】
【特許文献１】登録実用新案第３０８９４６８号公報
【発明の概要】
【発明が解決しようとする課題】
【０００６】
しかしながら、特許文献１に開示された収納什器（商品陳列用網棚）は、引き出し部（網棚本体）の雛壇配置を可能とするため、支持部（アーム）に複数の係合溝を設置し、引き出し部にこの係合溝に係合可能なストッパを追設している。このため、雛壇配置を行なわない通常の収納什器に対して、別途引き出し部へのストッパの追設が必要となっている。従って、特許文献１の収納什器は、雛壇配置とすることによって什器内の物品の出し入れや、什器内の物品の判別の容易化を図ることが可能であるものの、引き出し部への部材の追設がコストアップの要因となってしまう。
【０００７】
本発明はこのような事情を考慮してなされたものであり、コストを抑えながら利便性を向上できる収納什器を提供することを目的とする。
【課題を解決するための手段】
【０００８】
上記課題を解決するため、本発明は以下の手段を採用している。
即ち、本発明に係る収納什器は、物品を収納する収納什器であって、支持部材と、上下に複数配設されて、引き出し方向にスライド移動可能に前記支持部材に支持されるとともに、下面において前記引き出し方向に間隔をあけて突設されて前記下面を補強する補強部材を有する引き出し部と、前記引き出し部を前記引き出し方向の所定の位置に停止可能とするストッパ機構とを備え、前記ストッパ機構は、前記補強部材と、前記支持部材に設けられ、対応する前記引き出し部をスライドさせた際に前記引き出し方向の手前側から前記補強部材を係止する係止部とにより少なくとも構成されており、前記ストッパ機構は、前記引き出し方向の最も奥側に設けられた前記補強部材よりもさらに奥側で前記引き出し部の下面から突設され、前記係止部に前記手前側から係止されて前記引き出し部が前記手前側へ前記支持部材から逸脱することを防止する逸脱防止部をさらに有することを特徴とする。
【０００９】
このような収納什器においては、ストッパ機構を採用したことで、引き出し部の下面に設けられた補強部材が係止部に係止され、複数の引き出し部各々を所定寸法だけ引き出した所定の位置に停止した状態で保持することができる。このため、例えば複数の引き出し部を各々引き出し方向にずらした状態で保持でき、即ち雛壇状に配置することも可能となる。従って、収納された物品の出し入れや、判別が容易となる。さらに、引き出し部を雛壇状に配置した状態で保持するに際しては、引き出し部の補強部材をそのまま使用しているため、別途の部材を引き出し部に追設する必要がない。
また、このような逸脱防止部が係止部に係止されることで、引き出し部をそれ以上手前側にスライドさせることができなくなるため、引き出し部が支持部材から逸脱してしまうことを防止できる。
【００１２】
さらに、前記逸脱防止部は、前記係止部によって係止可能な係止位置と、前記係止部が通過可能な解除位置との間で進退可能なネジを有していてもよい。
【００１３】
このように逸脱防止部にネジを採用することによって、例えば、引き出し部を引き出し方向手前側から奥側に向かって支持部材へ収容する際には、ネジの締緩によって、ネジの位置を解除位置とするように調整できる。従って、逸脱防止部の係止部への引っ掛かりを防止して逸脱防止部が係止部に係止されない状態にでき、引き出し部を支持部材へ容易に収容することが可能となる。また、支持部材への収容後には、ネジの締緩によってネジの位置を係止位置となるように調整し、逸脱防止部が係止部へ係止される状態にでき、引き出し部が支持部材から逸脱しないようにすることが可能となる。
【００１４】
また、前記逸脱防止部は、前記係止部によって係止可能な係止位置と、前記係止部が通過可能な解除位置との間で進退可能な一対のピン部材と、前記ピン部材の各々に取り付けられ、該ピン部材に対して解除位置から係止位置に向けて付勢力を与える付勢部材とを有していてもよい。
【００１５】
このように逸脱防止部をピン部材及び付勢部材を採用することによって、例えば、引き出し部を引き出し方向手前側から奥側に向かって支持部材へ収容する際には、ピン部材を引っ張るか又は押し込むことで、ピン部材の位置を解除位置とするように調整できる。従って、逸脱防止部の係止部への引っ掛かりを防止して逸脱防止部が係止部に係止されない状態にでき、引き出し部を支持部材へ容易に収容することが可能となる。また、引っ張るか又は押し込むかしていたピン部材を開放すると、付勢部材の付勢力によってピン部材は自動的に元の位置に戻ることとなる。ここで、付勢部材に外力が作用しない状態でピン部材の位置が係止位置となるようにピン部材を設置していれば、ピン部材の開放によって、自動的に係止位置に戻るようにできる。従って、支持部材への収容後には、ピン部材を開放することのみで、ピン部材の位置を係止位置となるように調整し、逸脱防止部が係止部へ係止される状態にでき、引き出し部が支持部材から逸脱しないようにすることが可能となる。
【００１６】
さらに、前記逸脱防止部は、着脱可能なクリップ部材を有し、前記クリップ部材を取り付けた状態で該クリップ部材を前記係止部によって係止可能であってもよい。
【００１７】
このように逸脱防止部を着脱可能なクリップ部材とすることによって、例えば引き出し部を引き出し方向前方から支持部材へ収容する際には、クリップ部材を取り外すことで、逸脱防止部の係止部への引っ掛かりを防止して逸脱防止部が係止部に係止されない状態にできる。従って、引き出し部を支持部材へ容易に収容することが可能となる。また、支持部材への収容後には、支持部材への引き出し部の収容時に取り外したクリップ部材を取り付けることで、確実に係止部へ係止される状態にでき、引き出し部が支持部材から逸脱しないようにすることが可能となる。
【００１８】
また、前記補強部材は、前記引き出し方向の奥側を向く面が、上方から下方に向かうに従って前記奥側から前記手前側に向かって傾斜していてもよい。
【００１９】
このように、引き出し方向の奥側を向く面が傾斜していることによって、引き出し部を奥側に押し込む際には、係止部に対してこの面が乗り上げるように移動することとなるため、より円滑に引き出し部を支持部材へ収容することができる。
【００２０】
さらに、本発明に係る収納什器は、複数の前記引き出し部の上方で、前記支持部材に設けられた天板をさらに備えたカウンタ引き出し装置であってもよい。
【００２１】
このような収納什器によると、天板をカウンタテーブルとして使用でき、雛壇状に配置が可能な引き出し部によって、このカウンタテーブルの利便性の向上を図ることができる。
【発明の効果】
【００２２】
本発明の収納什器によると、引き出し部の補強部材が、引き出し部各々を所定寸法だけ引き出した状態で保持するように機能するため、コストを抑えながら利便性を向上できる。
【図面の簡単な説明】
【００２３】
【図１】本発明の第一実施形態に係るカウンタの引き出し装置の全体斜視図である。
【図２】本発明の第一実施形態に係るカウンタの引き出し装置のブラケットレールの斜視図である。
【図３】本発明の第一実施形態に係るカウンタの引き出し装置の引き出し部を斜め上方から見た斜視図である。
【図４】本発明の第一実施形態に係るカウンタの引き出し装置の引き出し部を斜め下方から見た斜視図である。
【図５】本発明の第一実施形態に係るカウンタの引き出し装置のストッパ機構の拡大断面図であって、図４のＡ−Ａ断面を示し、係止部との係止状態を示すものである。
【図６】本発明の第一実施形態に係るカウンタの引き出し装置の全体側面図であって、ストッパ機構と補強部材との係止の様子を示すものである。
【図７】本発明の実施形態の第二実施形態に係るカウンタの引き出し装置のストッパ機構の拡大断面図であって、図４のＡ−Ａ断面と同じ位置を示し、係止部との係止状態を示すものである。
【図８】本発明の実施形態の第三実施形態に係るカウンタの引き出し装置のストッパ部の拡大断面図であって、図４のＡ−Ａ断面と同じ位置を示し、係止部との係止状態を示すものである。また、（ｂ）は（ａ）のＢ−Ｂ断面である
【図９】本発明のカウンタの引き出し装置に関し、引き出し部の補強部材の変形例を示す斜視図である。
【発明を実施するための形態】
【００２４】
以下、本発明の第一実施形態に係るカウンタの引き出し装置（収納什器）について説明する。
カウンタ引き出し装置１は、例えば、小売店のカウンタに設置され、ビニール袋等の物品を収容可能とするものである。
【００２５】
図１に示すように、カウンタ引き出し装置１は、各々が矩形状の外形をなして互いに対向して配置された一対の側部材（支持部材）５と、これら一対の側部材５に挟まれて保持され、引き出し方向Ｄ２にスライド移動可能な複数の引き出し部１０と、これらの上方に設けられてカウンタテーブルとなる天板４とを備えている。
さらに、カウンタ引き出し装置１は、引き出し部１０を所定位置に停止可能とするストッパ機構４１を備えている。
【００２６】
側部材５の各々は、天板４の下部に設けられ、上下方向Ｄ１に延びて間隔をあけて配置された角棒よりなる２本の縦棒６を有し、上下方向Ｄ１の上方及び下方でこれら２本の縦棒６同士の間に縦棒６に直角に、角棒よりなる横棒７が結合されて井桁状に構成され、これにより外形が矩形状をなしている。
【００２７】
また縦棒６には、上下方向Ｄ１に所定の間隔をあけて引き出し部１０の引き出し方向Ｄ２に延びる複数（本実施形態では、各縦棒６毎に１３箇所）のスリット状のレール取付溝８が形成されている。そして、全ての縦棒６におけるレール取付溝８は、上下方向Ｄ１に対応する位置に形成されている。
【００２８】
さらに、側部材５は、レール取付溝８を介して取り付けられ、引き出し部１０を下方から支持するブラケットレール１４を有している。
【００２９】
図２に示すように、ブラケットレール１４は、各々の側部材５の２本の縦棒６及び２本の横棒７に挟まれる位置に、横棒７に並行に、上下方向Ｄ１に所定の間隔をあけて複数（本実施形態では３本）が設けられて、引き出し部１０を下方から支持するものである。
【００３０】
さらに、このブラケットレール１４は、引き出し方向Ｄ２に延びて、各々の側部材５の２本の縦棒６に、上下方向Ｄ１及び引き出し方向Ｄ２に直交する幅方向Ｄ３の内側から当接するレール支持部１５と、このレール支持部１５の上下方向Ｄ１の中途位置から幅方向Ｄ３の内側に突出する板状のレール本体部１７とを有している。
【００３１】
レール支持部１５は、引き出し方向Ｄ２の両端部１５ａに、側部材５のレール取付溝８に嵌合して、ブラケットレール１４全体を側部材５に固定する爪部１６ａ、１６ｂを有している。この爪部１６ａ、１６ｂは、引き出し方向Ｄ２の両端部において上下に２箇所ずつ設けられ、上方の爪部１６ａは、レール支持部１５の上方の縁部１５ｂから幅方向Ｄ３外側に突出し、その後上方に屈曲して形成された部材であり、即ち断面Ｌ字状をなしている。また下方の爪部１６ｂは、レール支持部１５の上下方向Ｄ１の中途位置から幅方向Ｄ３外側に突出し、その後上方に屈曲して形成された部材であり、同様に断面Ｌ字状をなしている。下方の爪部１６ｂは、上方の爪部１６ａに比べて引き出し方向Ｄ２の寸法が小さくなっており、これによりレール取付溝８への嵌合の容易化、即ちレール支持部１５の取り付けの容易化が可能となっている。
【００３２】
レール本体部１７は、その上面で引き出し部１０を下方から支持するものであり、この上面には樹脂製の敷居滑り１８が貼り付けられている。この敷居滑り１８は、レール本体部１７と引き出し部１０との摺動時に発生するレール本体部１７の上面と引き出し部１０との間の金属音を抑制し、また、摺動による塗装ハゲ等を防止するものである。
【００３３】
ここで、図２に示したブラケットレール１４は、引き出し方向Ｄ２の手前側から奥側に向かって、左側の側部材５に設置されるものであり、左側の側部材５に設置されるものは、図２に示したブラケットレール１４に対して引き出し方向Ｄ２を基準として幅方向Ｄ３に対象となる形状をなしている。
【００３４】
引き出し部１０は、一対の側部材５に挟まれ、上下方向Ｄ１に間隔をあけて複数段（本実施形態では３段）が設けられている。各々の引き出し部１０は、上部が開放され、内部に物品を収容可能となっている。
【００３５】
また図３に示すように、引き出し部１０の各々は、引き出し方向Ｄ２と、幅方向Ｄ３とに延在する長方形板状の底板１１と、この底板１１において、引き出し方向Ｄ２の手前側となる前側の縁部１１ａに結合された取手部３１と、底板１１の下面に設けられた複数の補強部材４２とを有している。
さらに、引き出し部１０の各々は、底板１１において、引き出し方向Ｄ２の奥側となる後側の縁部１１ｂから上方に立ち上がる長方形板状の後板２１と、底板１１の幅方向Ｄ３の両縁部１１ｃから上方に立ち上がるとともに、後板２１の幅方向Ｄ３の縁部２１ａに接続された一対の側板２５とを有している。
【００３６】
底板１１は、幅方向Ｄ３に間隔をあけて、各々が引き出し方向Ｄ２に延びて形成された複数のスリット状の第一の挿入用穴１２をさらに有している。そして、幅方向Ｄ３に並ぶこれら複数の第一の挿入用穴１２が挿入用穴群１２ａをなし、この挿入用穴群１２ａが引き出し方向Ｄ２に間隔をあけて２列設けられている。
【００３７】
後板２１は、幅方向Ｄ３に間隔をあけて、各々が上下方向Ｄ１に延びて形成された複数のスリット状の第二の挿入用穴２２をさらに有している。そして、上記第一の挿入用穴１２と第二の挿入用穴２２とは、幅方向Ｄ３に対応する位置に配置されている。これによって、図示はしないが、引き出し部１０の底板１１、後板２１及び一対の側板２５で囲まれた空間を幅方向Ｄ３に仕切る仕切り板の爪等を第一の挿入用穴１２及び第二の挿入用穴２２に差し込むことで、このような仕切り板を設置可能となる。
【００３８】
側板２５は、後板２１と接続された引き出し方向Ｄ２の後側の縁部２５ａでは、上下方向Ｄ１の寸法が後板２１と一致しており、さらに引き出し方向Ｄ２の前方では、上縁部が上下方向Ｄ１の上方から下方に向かって引き出し方向Ｄ２の後方から前方に向かって傾斜する傾斜部２６を有する形状となっている。
【００３９】
取手部３１は、底板１１の前側の縁部１１ａに、例えばロウ付け等によって結合されており、底板１１の前側の縁部１１ａの全域から上方に立ち上がった後に、前方に延び、その後下方に屈曲した形状をなしている。即ち、取手部３１は、幅方向Ｄ３から見た断面は下方側が凹状となった形状をなしており、凹面３２が形成されている。この凹面３２に手を掛けることによって、引き出し部１０を引き出し方向Ｄ２に移動させることが可能となっている。
【００４０】
さらに、図４に示すように、底板１１の下面の補強部材４２は、この下面において引き出し方向Ｄ２に間隔をあけて複数（本実施形態では、各々の引き出し部１０に３本ずつ）突設されており、引き出し部１０の底板１１を補強して底板１１の剛性向上を図る部材である。またこれら補強部材４２は、幅方向Ｄ３に延在して設けられており、幅方向Ｄ３から見て断面四角形状をなし、レール本体部１７によって引き出し部１０が支持された際に、レール本体部１７の上面に干渉しない位置まで幅方向Ｄ３に延在している。なお、本実施形態では、この補強部材４２は板材を曲げ加工したものとなっているが、これに限定されることはない。
【００４１】
ストッパ機構４１は、上述の補強部材４２と、ブラケットレール１４のレール本体部１７に設けられ、補強部材４２を係止する係止部４３と、引き出し部１０の前方への逸脱を防止する逸脱防止部４４とから構成されている。
【００４２】
係止部４３は、レール本体部１７の前方寄りの位置において、レール本体部１７の幅方向Ｄ３の内側の縁部１７ａに結合されており、この縁部１７ａから下方に向かって突出し、その後幅方向Ｄ３の内側に屈曲して形成された部材であって、即ち引き出し方向Ｄ２から見て断面Ｌ字状をなしている（図３参照）。そしてこの係止部４３の幅方向Ｄ３の寸法は、引き出し部１０がレール本体部１７に載置された状態で補強部材４２を係止可能となる程度に設定されている。
【００４３】
逸脱防止部４４は、引き出し部１０の補強部材４２のうちで最も後方の補強部材４２よりもさらに後方において、引き出し部１０の底板１１の下面に設けられた部材である。より具体的には、底板１１の下面の後方の端部であって、かつ幅方向Ｄ３の端部に一対が突設されている。
【００４４】
さらに、図４及び図５に示すように、逸脱防止部４４は、引き出し部１０の底板１１の下面に取り付けられた取付金４５と、この取付金４５に螺合されたユリアネジ５１とを有している。
【００４５】
取付金４５は、底板１１の下面から下方に突出した板状の立上り部４６と、立上り部４６の縁部から幅方向Ｄ３外側に向かって、底板１１の下面に平行な平面上に延びる板状のネジ取付部４７と、このネジ取付部４７の縁部から上方に向かって延びる末端部４９とを有している。
【００４６】
そして、ネジ取付部４７には上下方向Ｄ１に貫通する貫通孔５０が形成されており、ユリアネジ５１が挿通可能となっている。また、ネジ取付部４７の貫通孔５０の中心にその中心を一致させた状態で、ネジ孔４８ａが形成されている。当該ネジ孔４８ａは、ナット４８のものであり、ネジ取付部４７の下側を向く面にナット４８が溶接等によって取り付けられることで形成されている。そして、このナット４８にユリアネジ５１を螺合させ、貫通孔５０に挿通させることで、このユリアネジ５１が設置されている。
【００４７】
なお、末端部４９は、本実施形態では、ネジ取付部４７の縁部から上方に向かった後に幅方向Ｄ３の内側に巻き込むよう屈曲している。また、取付金４５は板材を曲げ加工したものとなっているが、これに限定されることはない。またナット４８を設けずに、ネジ取付部４７に直接ネジ孔を形成してもよい。
【００４８】
ユリアネジ５１は、ネジ頭５３に樹脂材等を用いたネジであって、ナット４８に螺合可能となっている。そして、このユリアネジ５１の長さ寸法は、引き出し部１０がレール本体部１７に載置された状態で、ユリアネジ５１のネジ部分５２を係止部４３が前方から係止可能となるような寸法に設定されている。より詳細には、このユリアネジ５１のネジ孔４８ａへの締緩によって、ユリアネジ５１のネジ部分５２が、係止部４３に係止される係止位置と係止部４３に係止されずに通過可能となる解除位置との間で進退可能となっている。
【００４９】
このようなカウンタ引き出し装置１においては、図６に示すように、引き出し部１０を前方にスライド移動させると、底板１１の下面に設けられた補強部材４２が係止部４３によって前方から係止される。
【００５０】
ここで、補強部材４２が係止部４３に係止された状態から、引き出し部１０をさらに前方にスライド移動させる場合には、引き出し部１０の取手部３１に手を掛ける等して引き出し部１０全体を上方に持ち上げ、補強部材４２が係止部４３を乗り越えるようにする。
【００５１】
このようにして、複数の引き出し部１０各々を、補強部材４２の設置位置に規定される所定寸法分を引き出した状態で保持することができる。このため、補強部材４２の設置数量を適宜調整することで、複数の引き出し部１０を各々引き出し方向Ｄ２にずらした状態で保持でき、即ち雛壇状に配置することも可能となる。
【００５２】
従って、収納された物品の出し入れや、物品の判別が容易となる。さらに、引き出し部１０各々を所定寸法だけ引き出した状態で保持するに際しては、引き出し部１０の補強部材４２をそのまま使用できるため、別途の部材を追設する必要はない。
【００５３】
さらに、最も後方に設けられた補強部材４２が係止部４３を乗り越えた際には、逸脱防止部４４が係止部４３によって係止されることとなる。より具体的には、図５に示すようにユリアネジ５１のネジ部分５２を係止部４３が係止し、引き出し部１０が、これ以上前方にスライド移動できないようになる。即ち、側部材５からの逸脱を防止することができる。
【００５４】
そして、逸脱防止部４４にユリアネジ５１を適用したことで、ユリアネジ５１の締緩によって、ユリアネジ５１のネジ部分５２が係止部４３に係止される係止位置と、係止部４３に係止されずに通過可能となる解除位置との間で、ユリアネジ５１を進退可能とすることができる。
【００５５】
即ち、ユリアネジ５１を緩めると、ユリアネジ５１のネジ部分５２の位置は下方に移動することとなる。従って、この状態では逸脱防止部４４は係止部４３へ係止されない状態となる。このため、引き出し部１０を前方から側部材５同士の間に収容してブラケットレール１４上に設置する際には、逸脱防止部４４の係止部４３への引っ掛かりを防止することができ、即ち、引き出し部１０を容易に設置することができる。
【００５６】
また、ユリアネジ５１を締めると、ユリアネジ５１のネジ部分５２の位置は上方に移動することとなる。従って、この状態では逸脱防止部４４は係止部４３によって係止可能な状態となる。このため、引き出し部１０の設置後に引き出し部１０を前方にスライド移動させた際には、逸脱防止部４４が係止部４３によって確実に係止されるようにすることができる。
【００５７】
また、ユリアネジ５１は通常のネジであってもよいが、通常のネジでなくユリアネジ５１とすることで、工具を使用しなくともネジ頭５３部分を手で把持し、手動で容易に緩めたり締めたりが可能となるため使用性を向上できる。
【００５８】
本実施形態のカウンタ引き出し装置１によると、引き出し部１０の補強部材４２に引き出し部１０のストッパ機能も持たせることができ、また、引き出し部１０の逸脱を防止することができ、引き出し部１０各々を所定寸法だけスライド移動させた状態で保持するようにできる。従って、コストを抑えながら利便性の向上を図ることができる。
【００５９】
なお、引き出し部１０の段ごとの間の上下方向Ｄ１の隙間寸法は、補強部材４２が係止部４３を乗り越え可能とするよう、補強部材４２の突出高さ寸法よりも大きくする必要があり、即ち、ブラケットレール１４を取り付ける位置はこの点を考慮する必要がある。
【００６０】
また、ブラケットレール１４は上述の構造に限定されず、引き出し部１０を摺動可能に設置できれば、どのような形状であっても構わない。
【００６１】
次に、本発明の第二実施形態に係るカウンタ引き出し装置６１について説明する。
なお、第一実施形態と共通の構成要素には同一の符号を付して詳細説明を省略する。
本実施形態では、逸脱防止部６４が第一実施形態のものと異なっている。
図７に示すように、逸脱防止部６４は、引き出し部１０の底板１１の下面に取り付けられた取付金６５と、この取付金６５に設置されたピン部材７１と、ピン部材７１に付勢力を与える付勢部材７４とを有している。
【００６２】
取付金６５は、上述した立上り部４６及び末端部４９と、第一実施形態のネジ取付部４７に代えて当該ネジ取付部４７と同様な上下方向Ｄ１に貫通する貫通孔６８が形成されたピン取付部６７とを有している。
【００６３】
ピン部材７１は、ピン取付部６７の貫通孔６８に挿通されたピン部分７２と、ピン部分７２の下端に結合されて手で把持可能なピン頭７３とを有している。そして、このピン部材７１の長さ寸法は、引き出し部１０がレール本体部１７に載置された状態で、ピン部材７１のピン部分７２が係止部４３によって係止可能となるような寸法に設定されている。
【００６４】
付勢部材７４は、貫通孔６８の開口の外周側に配置されたコイルバネであって、一方の端部がピン取付部６７に、他方の端部がピン頭７３に溶接等によって結合されており、ピン部材７１が貫通孔６８に挿通された状態で上下方向Ｄ１に進退可能に固定されている。
【００６５】
このようなカウンタ引き出し装置６１においては、最も後方に設けられた補強部材４２が係止部４３を乗り越えた際には、逸脱防止部６４のピン部材７１が係止部４３によって係止され、引き出し部１０が、これ以上前方にスライド移動できないようにできる。即ち、側部材５からの逸脱を防止することができる。
【００６６】
そして、逸脱防止部６４にピン部材７１及び付勢部材７４を適用したことで、ピン部材７１を引っ張り、また引っ張りの状態を解除することによって、ピン部材７１のピン部分７２が係止部４３に係止される係止位置と、係止部４３に係止されずに通過可能となる解除位置との間で、ピン部材７１を進退可能とすることができる。
【００６７】
即ち、ピン部材７１を引っ張ると、ピン部材７１のピン部分７２の位置は下方に移動することとなる。従って、この状態では逸脱防止部４４が係止部４３によって係止されない状態となる。このため、引き出し部１０を前方から側部材５同士の間に収容してブラケットレール１４上に設置する際には、逸脱防止部４４の係止部４３への引っ掛かりを防止することができ、引き出し部１０を容易に設置することができる。
【００６８】
また、引き出し部１０を側部材５同士の間に設置後に、引っ張っていたピン部材７１を開放することで、付勢部材７４の付勢力によってピン部材７１は自動的に元の位置に戻ることとなる。即ち、ピン部材７１のピン部分７２の位置は上方に移動することとなる。従って、この状態では逸脱防止部４４は係止部４３によって係止可能な状態となる。このため、引き出し部１０の設置後に引き出し部１０を前方にスライド移動させた際には、逸脱防止部４４が係止部４３によって確実に係止されるようにすることができる。
【００６９】
本実施形態のカウンタ引き出し装置６１によると、逸脱防止部４４にピン部材７１及び付勢部材７４を適用したことで、工具を使用しなくともピン頭７３を手で把持し、引っ張るのみでピン部分７２が係止部４３に係止されないようにでき、また、把持したピン頭７３を開放するのみで、ピン部分７２が係止部４３によって係止されるようにできる。従って、さらに容易に引き出し部１０を設置できるとともに、逸脱を防止することが可能となる。
【００７０】
なお、付勢部材７４は、コイルバネに代えて、例えば板バネを採用し、この板バネをピン部材７１とネジ取付部４７との間に配してピン部材７１に付勢力を与えるようにしてもよく、その他、ピン部材７１を付勢可能な部材であればどんなものであってもよい。
【００７１】
次に、本発明の第三実施形態に係るカウンタ引き出し装置８１について説明する。
なお、第一実施形態及び第二実施形態と共通の構成要素には同一の符号を付して詳細説明を省略する。
本実施形態では、逸脱防止部８４が第一実施形態及び第二実施形態のものと異なっている。
図８に示すように、逸脱防止部８４は、引き出し部１０の底板１１の下面に取り付けられた取付金８５と、この取付金８５に着脱可能に設置されるクリップ部材９１とを有している。
【００７２】
取付金８５は、上述した立上り部４６及び末端部４９と、第一実施形態のネジ取付部４７に代えて当該ネジ取付部４７と同様なクリップ取付部８７とを有している。
【００７３】
クリップ部材９１は、前方からクリップ取付部８７を挟むように取り付けられるクリップ部分９２と、このクリップ部分９２に結合され、クリップ取付部８７の上方を向く表面から上方に向かって突出する突出部９３とを有している。そして、この突出部９３の突出高さ寸法は、引き出し部１０がレール本体部１７に載置された状態で、突出部９３が係止部４３によって係止可能となるような寸法に設定されている。
【００７４】
このようなカウンタ引き出し装置８１においては、最も後方に設けられた補強部材４２が係止部４３を乗り越えた際には、逸脱防止部８４のクリップ部材９１が係止部４３によって係止され、引き出し部１０が、これ以上前方にスライド移動しないようにすることができる。即ち、側部材５からの逸脱を防止することができる。
【００７５】
そして、逸脱防止部８４にクリップ部材９１を適用したことによって、クリップ部材９１の着脱によって、逸脱防止部８４の係止部４３による係止の有無を調整できる。
【００７６】
即ち、クリップ部材９１を取り外すと、逸脱防止部８４は係止部４３によって係止されない状態となる。このため、引き出し部１０を前方から側部材５同士の間に収容してブラケットレール１４上に設置する際には、逸脱防止部８４の係止部４３への引っ掛かりを防止することができ、引き出し部１０を容易に設置することができる。
【００７７】
また、引き出し部１０を側部材５同士の間に設置後に、クリップ部材９１を取り付けると、逸脱防止部８４は係止部４３によって係止可能な状態となる。このため、引き出し部１０の設置後に引き出し部１０を前方に引き出した際には、逸脱防止部８４が係止部４３に確実に係止されるようにすることができる。
【００７８】
本実施形態のカウンタ引き出し装置８１によると、逸脱防止部８４にクリップ部材９１を適用したことで、工具等を使用しなくともクリップ部材９１を取り外すのみでクリップ部材９１の突出部９３が係止部４３に係止されないようにでき、また、クリップ部材９１を取り付けるのみでクリップ部材９１の突出部９３が係止部４３によって係止されるようにできる。従って、より容易に引き出し部１０を設置できるとともに、逸脱を防止することが可能となる。
【００７９】
以上、本発明の実施形態について詳細を説明したが、本発明の技術的思想を逸脱しない範囲内において、多少の設計変更も可能である。
例えば、第一の挿入用穴１２及び第二の挿入用穴２２の形状、形成位置は、上記仕切り板の形状に合わせて適宜変更してよい。
【００８０】
また、図９に示すように、引き出し部１０の底板１１の下面に設けられた補強部材４２Ａは後方を向く面９５が上方から下方に向かうに従って、後方から前方に向かって傾斜していてもよい。この場合、前方に引き出された引き出し部１０を後方に押し込む際には、係止部４３に対してこの面９５が順次乗り上げるように移動することとなるため、より円滑に引き出し部１０を側部材５同士の間へ収容することができる。
【００８１】
そして、上述の実施形態では、収納什器の一例としてカウンタ引き出し装置１、６１、８１について説明を行なったが、収納什器はこれに限定されることはない。
【符号の説明】
【００８２】
１…カウンタ引き出し装置（収納什器）  ４…天板  ５…側部材（支持部材）  ６…縦棒  ７…横棒  ８…レール取付溝  １０…引き出し部  １１…底板  １２…第一の挿入用穴  １２ａ…挿入用穴群  １４…ブラケットレール  １５…レール支持部  １６ａ、１６ｂ…爪部  １７…レール本体部  １８…敷居滑り  ２１…後板  ２２…第二の挿入用穴  ２５…側板  ２６…傾斜部  ３１…取手部  ３２…凹面  ４１…ストッパ機構  ４２、４２Ａ…補強部材  ４３…係止部  ４４…逸脱防止部  ４５…取付金  ４６…立上り部  ４７…ネジ取付部  ４８…ナット  ４９…末端部  ５０…貫通孔  ５１…ユリアネジ  ５２…ネジ部分  ５３…ネジ頭  ６１…カウンタ引き出し装置  ６４…逸脱防止部  ６５…取付金  ６７…ピン取付部  ６８…貫通孔  ７１…ピン部材  ７２…ピン部分  ７３…ピン頭  ７４…付勢部材  ８１…カウンタ引き出し装置  ８４…逸脱防止部  ８５…取付金  ８７…クリップ取付部  ９１…クリップ部材  ９２…クリップ部分  ９３…突出部  ９５…面  Ｄ１…上下方向  Ｄ２…前後方向  Ｄ３…幅方向
【図１】
0006050956.tif 000002
【図２】
0006050956.tif 000003
【図３】
0006050956.tif 000004
【図４】
0006050956.tif 000005
【図５】
0006050956.tif 000006
【図６】
0006050956.tif 000007
【図７】
0006050956.tif 000008
【図８】
0006050956.tif 000009
【図９】
0006050956.tif 000010